(57)【特許請求の範囲】
【請求項１】
ワイヤハーネス端が接続された電装品本体を横滑り不能に内部に収容し、上ケースが重ね合わされることで該上ケースとともに形成する空間内に前記電装品本体を密閉して収容する下ケースと、該下ケースの一側壁に該一側壁を貫通しかつ前記上ケースが重ね合わされる面に開口されて設けられたグロメット嵌着孔と、前記ワイヤハーネスに装着されて該ワイヤハーネスを防水して密閉する筒状部と前記グロメット嵌着孔に嵌着されて前記グロメット嵌着孔との隙間を密封する溝を有するフランジ部とにより構成され、前記グロメット嵌着孔に装着された状態で前記下ケースに上ケースが重ね合わされることで前記グロメット嵌合孔に保持されるグロメットとを備える防水型電装品収納ケースであって、
前記一側壁の前記グロメット嵌着孔の一側に突出された軸にヒンジを介して延設され、先端部に係合部が設けられたグロメット押圧片と、
前記一側壁の前記グロメット嵌着孔の他側に設けられた前記係合部に係脱可能なロック部とを備え、
前記ヒンジを支点に前記グロメット押圧片を回動させ、先端部の前記係合部を前記ロック部に係合させることにより、前記グロメット嵌着孔に装着した前記グロメットの前記筒状部を前記グロメット押圧片により押さえつけ、前記フランジの前記溝にて前記グロメット嵌着孔との隙間を密封した状態に保持する
ことを特徴とする防水型電装品収納ケース。
【発明の詳細な説明】
【０００１】
【発明の属する技術分野】
本発明は、例えば自動車などに設備される電装品本体を密閉，収容する防水型電装品収納ケースに関するものである。
【０００２】
【従来の技術】
図４は防水型電装品収納ケースＡの従来例を示す分解斜視図であり、下ケース１の上に上ケース２を重ね合わせると、内部に電装品本体３を収容する空間が形成される。
下ケース１の一方の側壁には、側壁を貫通し上ケース２との重ね合わせ面に開口するグロメット嵌着孔４が設けられ、上ケース２との重ね合わせ面に、上ケース２の下端面との隙間を密閉するパッキン５が取り付けられる。
下ケース１の側壁に係合突起６が設けられ、上ケース２には、重ね合わせたときに係合突起６が係入する係合孔８を有する係合枠７が設けられる。
【０００３】
電装品本体３には防水型ヒュージブルリンク等の電気部品９が取付られ、ワイヤーハーネスＷがコネクタ（図示しない）を介して電気接続され、側面に設けられる位置決め突起１７は、下ケース１の内壁に設けられる案内レール（図示しない）に摺動可能に係合し、電装品本体３が下ケース１内で動揺しないようになっている。
【０００４】
ワイヤーハーネスＷに装着されるグロメット１０はゴム材などより構成され、ワイヤーハーネスＷを防水，密閉する筒状部１０ａと、グロメット嵌着孔４に嵌着される溝１０ｃを有するフランジ部１０ｂとにより構成され、溝１０ｃをグロメット嵌着孔４に嵌着すると、グロメット嵌着孔４とグロメット１０との隙間が防水，密閉される。
【０００５】
【発明が解決しようとする課題】
フランジ部１０ｂは、弾性圧縮を伴ってグロメット嵌着孔４に嵌着されるため、グロメット嵌着孔４に密着しているが、グロメット１０を上下方向に固定する構造が設けられていないので、ワイヤーハーネスＷに矢印Ｆ方向の外力が加わると、グロメット１０がグロメット嵌着孔４から離脱する方向に移動する。
従って、ワイヤーハーネスＷの組付作業中に支障を来す問題と、上ケース２を下ケース１に重ね合わせる作業性が悪くなる問題と、組付後においてもグロメット１０が移動して防水性が低下する問題が生じる。
又、輸送の都合上、上ケース２を重ね合わせないで納入する際に、グロメット１０が下ケース１のグロメット嵌着孔４から外れて、損傷する場合がある。
本発明は、かかる課題を解決することを目的とするものである。
【０００６】
【課題を解決するための手段】
上記目的を達成するために、本発明は、ワイヤハーネス端が接続された電装品本体を横滑り不能に内部に収容し、上ケースが重ね合わされることで該上ケースとともに形成する空間内に前記電装品本体を密閉して収容する下ケースと、該下ケースの一側壁に該一側壁を貫通しかつ前記上ケースが重ね合わされる面に開口されて設けられたグロメット嵌着孔と、前記ワイヤハーネスに装着されて該ワイヤハーネスを防水して密閉する筒状部と前記グロメット嵌着孔に嵌着されて前記グロメット嵌着孔との隙間を密封する溝を有するフランジ部とにより構成され、前記グロメット嵌着孔に装着された状態で前記下ケースに上ケースが重ね合わされることで前記グロメット嵌合孔に保持されるグロメットとを備える防水型電装品収納ケースであって、前記一側壁の前記グロメット嵌着孔の一側に突出された軸にヒンジを介して延設され、先端部に係合部が設けられたグロメット押圧片と、前記一側壁の前記グロメット嵌着孔の他側に設けられた前記係合部に係脱可能なロック部とを備え、前記ヒンジを支点に前記グロメット押圧片を回動させ、先端部の前記係合部を前記ロック部に係合させることにより、前記グロメット嵌着孔に装着した前記グロメットの前記筒状部を前記グロメット押圧片により押さえつけ、前記フランジの前記溝にて前記グロメット嵌着孔との隙間を密封した状態に保持する構成とした。
【０００８】
【発明の実施の形態】
本発明の実施の形態の具体例について図面を参照して説明する。
図１は防水型電装品収納ケースＡ1 の分解斜視図、図２はグロメット固定前の状態の防水型電装品収納ケースＡ1 の斜視図、図３はグロメット固定後の状態の防水型電装品収納ケースＡ1 の斜視図である。
防水型電装品収納ケースＡ1 の構成部品のうち、従来例と同一の部品については従来例と同一符号を付してその詳細説明を省略する。
【０００９】
図１に示すように、防水型電装品収納ケースＡ1 の下ケース１１は、従来の防水型電装品収納ケースＡと同様に、一方の側壁にグロメット嵌着孔４が設けられ、上ケース２との重ね合わせ面に、上ケース２の下端面との隙間を密閉するパッキン５が取り付けられる。
図示されていないが、下ケース１１および上ケース２には従来例と同様の係合突起６，係合枠７が設けられ、パッキン５を押圧した重ね合わせ状態に保持されることも従来例と同様である。
【００１０】
下ケース１１の一方の側壁には、グロメット嵌着孔４の一側（図１において左側）に軸１２が突出し、軸１２にはヒンジ１２ａを介してグロメット押圧片１３が延設される。
ヒンジ１２ａは撓み変形が可能であり、グロメット押圧片１３はヒンジ１２ａを支点として回動可能である。
【００１１】
グロメット押圧片１３は、グロメット１０の筒状部１０ａの外面とほぼ同形状の円弧を有する凹部１３ａが形成され、グロメット押圧片１３の先端部に直角に起立する屈曲部１３ｂが設けられ、屈曲部１３ｂに係合部１４が突設される。
係合部１４は、屈曲部１３ｂの先端に向かって低くなる傾斜面１４ａ、傾斜面１４ａの反対側に設けられ屈曲部１３ｂの表面に対して直角な係止面１４ｂとにより形成される。
【００１２】
下ケース１１の一方の側壁には、グロメット嵌着孔４の他側（図１において右側）に板状のロック部１５が立設され、ロック部１５にロック孔１６が設けられる。
ロック孔１６は、グロメット押圧片１３がヒンジ１２ａを支点としてロック部１５の方向に回動したときに、係合部１４が係入可能な位置にある。
【００１３】
電装品本体３には複数の電気部品が取り付けられ、ワイヤーハーネスＷの先端部がコネクタを介して電気接続され、ワイヤーハーネスＷには、グロメット嵌着孔４に嵌入するグロメット１０が設けられ、電装品本体３の側面に設けられる位置決め突起１７が下ケース１１の内壁面に設けられた案内レール１８に沿って摺動可能であることは従来例と同様である。
【００１４】
以上のように構成された防水型電装品収納ケースＡ1 の組付方法を図２，図３に基づいて説明する。
グロメット１０を装着したワイヤーハーネスＷを電装品本体３に接続し、電装品本体３の位置決め突起１７を案内レール１８（図１参照）にスライド可能に係合し、電装品本体３を下ケース１１の内部に横滑り不能に収容すると共に、グロメット１０のフランジ部１０ｂの溝１０ｃをグロメット嵌着孔４に嵌着して、グロメット嵌着孔４とグロメット１０の隙間を密封する（図２参照）。
【００１５】
次に、ヒンジ１２ａを支点としてグロメット押圧片１３を回動し、グロメット１０の筒状部１０ａに押しつけると共に、係合部１４をロック部１５のロック孔１６に押し込むと、係合部１４の傾斜面１４ａが圧縮されながらロック孔１６内を移動し、ロック孔１６を通過したときに係止面１４ｂがロック部１５に係合し、グロメット押圧片１３がグロメット１０を押しつけた状態に保持される（図３参照）。
【００１６】
従って、グロメット１０とグロメット嵌着孔４との隙間は防水，密封状態に保持され、ワイヤーハーネスＷに矢印Ｆ方向に外力が作用しても、或いは、上ケース２を取り付けないで納入先に搬送しても、グロメット１０はグロメット嵌着孔４から浮き上がることはなく、上ケース２を下ケース１に重ね合わせるときにもグロメット１０が浮き上がって重ね合わせ作業を妨げることはない。
又、防水型電装品収納ケースＡ1 を自動車などに設置した後も、防水性の信頼度は極めて高い。
【００１７】
【発明の効果】
本発明の防水型電装品収納ケースは、以上述べたように構成されているので、下記に示すような効果を奏する。
(1) グロメットをグロメット嵌着孔に嵌着した後に、グロメット押圧片を回動して係合部をロック部に係合する簡単な動作で、グロメットの浮き上がりを確実に防止することができる。
(2) グロメットがグロメット嵌着孔に不完全に嵌着された場合が生じても、係合部をロック部に係合したときに、グロメット押圧片がグロメットを完全嵌合位置まで押動するので、グロメットの嵌着作業後に、嵌着状態を点検する作業が不要になった。
【００１８】
(3) 係合部をロック部に係合することにより、グロメット押圧片は、グロメットの浮き上がりを完全に防止するので、上カバーを取り付けないで搬送しても問題はなく、又、上カバーを下カバーに重ね合わせる作業も容易になった。
(4) 自動車のように振動のある環境に防水型電装品収納ケースを設置しても、グロメットが浮き上って防水性を劣化させることはないので、防水性の信頼性が高まった。
(5) 軸，ヒンジ及びグロメット押圧片は、下ケースと一体に成形することができるので、従来のものと比較して部品の増加はなく、従来の防水型電装品収納ケースとほとんど変わらない製造原価で提供することができる。
【図面の簡単な説明】
【図１】本発明の防水型電装品収納ケースの分解斜視図である。
【図２】グロメット固定前の本発明の防水型電装品収納ケースの斜視図である。
【図３】グロメット固定後の本発明の防水型電装品収納ケースの斜視図である。
【図４】従来の防水型電装品収納ケースの分解斜視図である。
【符号の説明】
Ａ1               防水型電装品収納ケース
Ｗ                ワイヤーハーネス
２                上ケース
３                電装品本体
４                グロメット嵌着孔
１０              グロメット
１０ａ            筒状部
１０ｂ            フランジ部
１１              下ケース
１２              軸
１２ａ            ヒンジ
１３              グロメット押圧片
１３ａ            凹部
１４              係合部
１５              ロック部
１６              ロック孔
【図１】
0003709959.tif 000002
【図２】
0003709959.tif 000003
【図３】
0003709959.tif 000004
【図４】
0003709959.tif 000005